(57)【特許請求の範囲】
【請求項１】
１−（６−クロロ−３−ピリジルメチル）−Ｎ−ニトロ−イミダゾリジン−２−イリデンアミン、粘着剤及びメントールを含有する組成物よりなる薬物層を支持体上に設けて成ることを特徴とする植物処理用貼付剤。
【請求項２】
粘着剤が、デンプン、にかわ、カゼイン、デキストリン、植物ガム、動植物タンパク質、セラック、天然ゴム、ケイ酸ナトリウム等より成る天然物系粘着剤；アルキド、アクリルエステル、ポリアミド、ポリスチレン、合成ゴム、ポリビニルアルコール等より成る熱可塑性樹脂系粘着剤；及び尿素樹脂、フェノール樹脂、不飽和ポリエステル樹脂、エポキシ樹脂、メラミン樹脂、フラン樹脂、アルキド樹脂等より成る熱硬化性樹脂系粘着剤から選択される少なくとも１種である請求項１記載の植物処理用貼付剤。
【請求項３】
粘着剤が天然ゴム又はアクリルエステル系樹脂より成る請求項１記載の植物処理用貼付剤。
【請求項４】
支持体がポリエチレンテレフタレート、ポリエチレン、ポリプロピレン又はポリ塩化ビニルより成る請求項１記載の植物処理用貼付剤。
【発明の詳細な説明】
【０００１】
【産業上の利用分野】
本発明は農業分野における植物処理用貼付剤に関する。
【０００２】
【従来の技術と課題】
植物病害虫の防除法としては、従来一般に、液状又は微粉状の農薬を植物表面に散布する方法や、液状又は固体状の農薬を植物の根部近傍の土壌に散布混和する方法が採用されている。前者の方法では、散布された農薬は、速やかに害虫・病原菌に到達するので速効的であるが、散布された農薬の多くは土壌へ落下しあるいは域外に漂流し、植物表面に達する割合が低く、また散布中に散布者が農薬に被曝する危険性が高いと言うディメリットを合わせ持っている。他方、後者の方法では、散布者が農薬に被曝する危険性は低くなるが、浸透移行性の農薬でなければ効果が発現せず、前者の散布方法と比較して、効果の発現が遅く、また土壌を介するために土壌への吸着や灌水による流亡等により農薬の有効利用率が低くなるうえ、長期間土壌に残留する危険性が高くなると言うディメリットがある。したがって、現行の植物病害虫防除方法における上記の如きディメリットを回避し、且つできるだけ低農薬量で高い効果を発揮しうる新しい植物病害虫の防除技術の開発が強く望まれている。
【０００３】
【課題解決の手段】
本発明者等は上記技術課題を解決すべく研究を重ねた結果、今回、以下に述べる新規な植物処理用貼付剤を完成することに至った。
【０００４】
しかして、本発明は、農薬活性物質及び粘着剤を含有し、該農薬活性物質が、マトリックス状で分散している組成物よりなる薬物層を支持体上に設けて成ることを特徴とする植物処理用貼付剤を提供するものである。
【０００５】
本発明の植物処理用貼付剤は、従来の散布法に比べ、農薬活性物質の作用効果を的確に発現させることが可能で、有効成分をむだなく持続的に放出させることができ、且つ環境中への農薬活性物質の放出を極力抑制することができ、さらに散布者を農薬被曝の危険性から、ほぼ完全に保護することのできる、非常に有効かつ安全性の高い画期的な農薬製剤である。
【０００６】
以下、本発明の植物処理用貼付剤についてさらに詳細に説明する。
【０００７】
本発明の植物処理用貼付剤において使用される農薬活性物質は、その用途に応じて広い範囲の農業的に活性な物質の中から選ぶことができ、浸透性を有する殺虫性化合物、殺菌性化合物、植物調節性化合物等を例示することができる。なお、本明細書において、「殺虫性」なる語は、単に殺昆虫性のみならず、殺ダニ性、殺線虫線等をも包含する広い意味で使用するものであり、また、「殺菌性」なる語は、殺バクテリア性及び殺カビ性を包含するものである。
【０００８】
さらに「植物調節性化合物」とは植物の生長促進、生長抑制、開花調節、単為結実の誘起等に関与する化合物をいう。
【０００９】
より具体的に、殺虫性化合物としては、１−（６−クロロ−３−ピリジルメチル）−Ｎ−ニトロ−イミダゾリジン−２−イリデンアミン、Ｎ−シアノ−Ｎ−（２−クロロ−５−ピリジルメチル）−Ｎ′−メチルアセトアミジン、１−［Ｎ−（６−クロロ−３−ピリジルメチル）−Ｎ−エチルアミノ］−１−メチルアミノ−２−ニトロエチレン、１−（２−クロロ−５−ピリジルメチル）−３,５−ジメチル−２−ニトロイミノ−ヘキサヒドロ−１,３,５−トリアジン、１−（２−クロロ−５−チアゾリルメチル）−３,５−ジメチル−２−ニトロイミノ−ヘキサヒドロ−１,３,５−トリアジン、１−（２−クロロ−５−チアゾリルメチル）−３−メチル−２−ニトログアニジン、Ｏ,Ｏ−ジメチル−Ｏ−３−メチル−４−（メチルスルフィニル）フェニルホスホロチオエート、ｔｒａｎｓ−１,４,５,６−テトラヒドロ−１−メチル−２−［２−（３−メチル−２−チエニル）ビニル］ピリミジン酒石酸塩、（−）−（ｓ）−２,３,５,６−テトラヒドロ−６−フェニルイミダゾ［２,１−ｂ］チアゾール塩酸塩等；殺菌性化合物としては、１−（４−クロロフェノキシ）−３,３−ジメチル−１−（１,２,４−トリアゾール−１−イル）−２−ブタノン、ａｌｌ−ｒａｃ−１−（ビフェニル−４−イルオキシ）−３,３−ジメチル−１−（１Ｈ−１,２,４−トリアゾール−１−イル）ブタン−２−オール、２−ｐ−クロロフェニル−２−（１Ｈ−１,２,４−トリアゾール−１−イルメチル）ヘキサンニトリル、（ＲＳ）−２−（２,４−ジクロロフェニル）−１−（１Ｈ−１,２,４−トリアゾール−１−イル）ヘキサン−２−オール、１−［２−（２,４−ジクロロフェニル）−４−プロピル−１,３−ジオキソラン−２−イルメチル］−１Ｈ−１,２,４−トリアゾール、（Ｅ）−４−クロロ−α,α,α−トリフルオロ−Ｎ−（１−イミダゾール−１−イル−２−プロポキシエチリデン）−Ｏ−トルイジン、Ｎ−プロピル−Ｎ−［２−（２,４,６−トリクロロフェノキシ）エチル］イミダゾール−１−イルカルボキサミド、ペンタ−４−エニル Ｎ−フルフリル−Ｎ−イミダゾール−１−イルカルボニル−ＤＬ−ホモアラニナート、２,４′−ジクロロ−α−（ピリミジン−５−イル）ベンズヒドリルアルコール、（Ｅ）−（ＲＳ）−１−（４−クロロフェニル）−４,４−ジメチル−２−（１Ｈ−１,２,４−トリアゾール−１−イル）−１−ペンテン−３−オール、（Ｅ）−（Ｓ）−１−（４−クロロフェニル）−４,４−ジメチル−２−（１Ｈ−１,２,４−トリアゾール−１−イル）ペンタ−１−エン−３−オール、（ＲＳ）−１−（４−クロロフェニル）−４,４−ジメチル−３−（１Ｈ−１,２,４−トリアゾール−１−イルメチル）ペンタン−３−オール、２′,４′−ジクロロ−２−（３−ピリジル）アセトフェノン（ＥＺ）−Ｏ−メチルオキシム、１,４−ビス（２,２,２−トリクロロ−１−ホルムアミドエチル）ピペラジン、（２ＲＳ,３ＲＳ）−１−（４−クロロフェニル）−４,４−ジメチル−２−（１Ｈ−１,２,４−トリアゾール−１−イル）ペンタン−３−オール、（±）−ｃｉｓ−４−［３−（４−ｔｅｒｔ−ブチルフェニル）−２−メチルプロピル］−２,６−ジメチルモルホリン、２−（４−フルオロフェニル）−２−（１,２,４−トリアゾール−���−イルメチル）−３−（２−ククロロフェニル）−エポキシエタン等；植物調節性化合物としては、２−クロロエチルホスホン酸、インドール酪酸、５−クロロ−３（１Ｈ）−インダゾリル酢酸ナトリウム、５−クロロ−３（１Ｈ）−インダゾリル酢酸エチル、４−クロロ−２−ヒドロキシメチルフェノキシ酢酸ナトリウム、トリエタノールアミン（±）−２−（２,４−ジクロロフェノキシ）プロピオン酸、α−ナフチルアセトアミド、ｐ−クロロフェノキシ酢酸、６−（Ｎ−ベンジルアミノ）プリン、１−（２−クロロ−４−ピリジル）−３−フェニルウレア、ジベレリン、マレイン酸ヒドラジド、α−シクロプロピル−α−（４−メトキシフェニル）−５−ピリミジンメタノール、４′−クロロ−２′−（α−ヒドロキシベンジル）イソニコチンアニリド、（Ｅ）−（Ｓ）−１−（４−クロロフェニル）−４,４−ジメチル−２−（１Ｈ−１,２,４−トリアゾール−１−イル）ペンタ−１−エン−３−オール、２−クロロエチルトリメチルアンモニウムクロリド、（２ＲＳ,３ＲＳ）−１−（４−クロロフェニル）−４,４−ジメチル−２−（１Ｈ−１,２,４−トリアゾール−１−イル）ペンタン−３−オール、１,１−ジメチルピペリジニウムクロリド、Ｎ−（ジメチルアミノ）スクシンアミド酸等を例示することができる。
【００１０】
しかし、本発明の植物処理用貼付剤において使用しうる農薬活性物質は、これらに限定されるものではない。
【００１１】
一方、本発明において用いられる粘着剤としては、例えば、
（ａ）  デンプン、にかわ、カゼイン、デキストリン、植物ガム、動植物タンパク質、セラック、天然ゴム、ケイ酸ナトリウム等より成る天然物系粘着剤；
（ｂ）  アルキド、アクリルエステル、ポリアミド、ポリスチレン、合成ゴム、ポリビニルアルコール等より成る熱可塑性樹脂系粘着剤；及び
（ｃ）  尿素樹脂、フェノール樹脂、不飽和ポリエステル樹脂、エポキシ樹脂、メラミン樹脂、フラン樹脂、アルキド樹脂等より成る熱硬化性樹脂系粘着剤
が挙げられ、これらはそれぞれ単独で又は２種以上組合わせて使用することができる。
【００１２】
これら粘着剤の中、特に好適なものとしては、天然ゴム又はアクリルエステル系樹脂よりなるものを挙げることができる。
【００１３】
一方、以上に述べた農薬活性物質と粘着剤よりなる薬物層を担持するための支持体としては、例えば、ポリエチレンテレフタレート、ポリエチレン、ポリプロピレン、ポリ塩化ビニル等の合成樹脂のフィルム又は不織シートを挙げることができ、中でも、ポリエチレンテレフタレートのフィルムが好適である。しかし、本発明で用いられる支持体の材質は上記例示のものに限定されるものでなく、他の高分子物質や紙等も使用可能である。
【００１４】
更に、本発明の植物処理用貼付剤の薬物層は、それが含有するところの農薬活性物質の放出を促進させるため、場合により、農薬活性物質放出促進剤を含有することもできる。該放出促進剤としては、例えば、ｐ−メンタン誘導体を例示することができ、その具体例としてはメントール及びリモネンを挙げることができる。
【００１５】
本発明の植物処理用貼付剤の薬物層には、必要に応じて、補助剤として、界面活性剤を含ませてもよく、使用しうる界面活性剤としては、例えば、
ポリオキシエチレン  アルキルエーテル、
ポリオキシエチレン  アルキルフェニルエーテル、
ポリオキシエチレン   アルキルフェニルエーテルホルムアルデヒド縮合物、
ポリオキシエチレン−ポリオキシプロピレンブロックポリマー、
ポリオキシエチレン−ポリオキシプロピレンブロックポリマーアルキルフェニルエーテル、
ソルビタン脂肪酸エステル、
ポリオキシエチレン脂肪酸エステル、
ポリオキシエチレンソルビタン脂肪酸エステル、
ポリオキシエチレンカスターオイルエーテル
等の非イオン界面活性剤を例示することができる。
【００１６】
本発明の植物処理用貼付剤は、例えば、農薬活性物質の溶液を粘着剤に溶解し、このものを支持体フィルム上に展開し、その後、溶媒を部分的又は完全に蒸発させ、そして保護フィルムでシールすることにより調製することができる。
【００１７】
上記の調製法は、本発明の植物処理用貼付剤の調製法の一態様にずぎず、これに何ら限定されるものでなく、種々の修正を、変更が可能である。
【００１８】
本発明の植物処理用貼付剤の薬物層は、一般に、農薬活性物質約１〜約５０重量部、好ましくは約２〜約２５重量部と、粘着剤約４０〜約９５重量部、好ましくは約５５〜約７０重量部を含む組成物よりなることができ、また、農薬活性物質放出促進剤を約１〜約４０重量部、好ましくは、約５〜約３０重量部含有することができる。
【００１９】
更に、補助剤として界面活性剤を約１〜約５重量部含有することもできる。
【００２０】
本発明の植物処理用貼付剤を実際に使用する場合には、該貼付剤を所望の大きさに切り又は予め調製時に調整された大きさのものを、その片面の保護シールを取りはずし、植物体表面、例えば、茎部及び／又は木部に貼りつけることにより、目的とする植物処理を達成することができる。貼付剤の大きさは、植物処理の目的、対象植物の大きさ、貼付個所の状態等により適宜変えることができる。
【００２１】
本発明の植物処理用貼付剤を用いて防除しうる病害虫としては、薬物層に含まれる農薬活性物質により防除可能なあらゆる病害虫に包含され、その具体例としては次のものが挙げられる。
【００２２】
（１） 鞘翅目昆虫、例えば、
アズキゾウムシ（Callosobruchus Chinensis）、コクゾウムシ（Sitophilus zeamais）、コクヌストモドキ（Tribolium castaneum）、オオニジュウヤホシテントウ（Epilachna vigintioctomaculata）、トビイロムナボソコメツキ（Agriotes fuscicollis)、ヒメコガネ（Anomala rufocuprea）、コロラドポテトビートル（Leptinotarsa decemlineata）、ジアブロテイカ（Diabrotica spp.）、マツノマダラカミキリ（Monochamus alternatus)、イネミズゾウムシ（Lissorhoptrus oryzophilus）、ヒラタキクイムシ（Lyctus bruneus）など。
【００２３】
（２） 鱗翅目昆虫、例えば、
マイマイガ（Lymantria dispar）、ウメケムシ（Malacosoma neustria）、アオムシ（Pieris rapae）、ハスモンヨトウ（Spodoptera litura）、ヨトウ（Mamestra brassicae）、ニカメイチュウ（Chilo suppressalis）、アワノメイガ（Pyrausta nubilalis）、コナマダラメイガ（Ephestia cautella）、コカクモンハマキ（Adoxophyes orana）、コドリンガ（Carpocapsa pomonella）、カブラヤガ（Agrotis fucosa）、ハチミツガ（Galleria mellonella）、コナガ（Plutella maculipennis）、ヘリオティス（Heliothis virescens）、ミカンハモグリガ（Phyllocnistis citrella）など。
【００２４】
（３） 半翅目昆虫、例えば、
ツマグロヨコバイ（Nephotettix cincticeps）、トビイロウンカ（Nilaparvata lugens）、クワコナカイガラムシ（Pseudococcus comstocki）、ヤノネカイガラムシ（Unaspis yanonensis）、モモアカアブラムシ（Myzus persicae）、リンゴアブラムシ（Aphis pomi）、ワタアブラムシ（Aphis gossypii）、ニセダイコンアブラムシ（Rhopalosiphum pseudobrassicas）、ナシグンバイ（Stephanitis nashi）、アオカメムシ（Nazara spp.）、トコジラシ（Cimex lectularius）、オンシツコナジラミ（Trialeurodes vaporariorum）、キジラミ（Psylla spp.）など。
【００２５】
（４） 直翅目昆虫、例えば、
チャバネゴキブリ（Blatella germanica）、ワモンゴキブリ（Periplaneta americana）、ケラ（Gryllotalpa africana）、バッタ（Locusta migratoria migratoriodes）など。
【００２６】
（５） 等翅目昆虫、例えば、
ヤマトシロアリ（Reticulitermes speratus）、イエシロアリ（Coptotermes formosanus）など。
【００２７】
アザミウマ目昆虫、例えば、
ミナミキイロアザミウマ（Thrips palmi karny）；
（６） 双翅目昆虫、例えば、
イエバエ（Musca domestica）、ネツタイシマカ（Aedes  aegypti）、タネバエ（Hylemia platura）、アカイエカ（Culex pipiens）、シナハマダラカ（Anopheles slnensis）、コガタアカイエカ（Culex tritaeniorhynchus）など。
【００２８】
（７） ダニ類、例えば、
ニセナミハダニ（Tetranychus telarius）、ナミハダニ（Tetranychus urticae）、ミカンハダニ（Panonychus citri）、ミカンサビダニ（Aculops pelekassi）、ホコリダニ（Tarsonemus spp.）など。
【００２９】
（８） センチュウ類、例えば、
サツマイモネコブセンチュウ（Meloidogyne incognita）、マツノザイセンチュウ（Bursaphelenchus lignicolus Mamiya et Kiyohara）、イネシンガレセンチュウ（Aphelenchoides besseyi）、ダイズシストセンチュウ（Heterodera glycines）、ネグサレセンチュウ（Pratylenchus spp.）など。
【００３０】
（９） 植物病害、例えば、
プラスモデイオホロミセテス（Plasmodiophoromycetes）、オーミセテス（Oomycetes）、キトリディオミセテス（Chytridiomycetes）、ジゴミセテス（Zygomycetes）、アスコミセテス（Ascomycetes）、バシジオミセテス（Basidiomycetes）及びドイテロミセテス（Deuteromycetes）による種々の植物病；シュードモナス科（Pseudomonadaceae）、リゾビウム科（Rhizobiaceae）、エンテロバクテリア科（Enterobacteriaceae）、コリネバクテリウム科（Corynebacteriaceae）及びストレプトミセス科（Streptomycetaceae）による種々の植物病など。
【００３１】
また、本発明の植物処理用貼付剤は、植物調節作用を目的として薬物層に植物生長調節剤を含ませて、生長促進、生長抑制、開花調節、単為結実の誘起等に使用することも可能である。
【００３２】
本発明の植物処理用貼付剤を適用することのできる対象植物は、特に限定されるものではないが、特に好ましい対象植物としては、果菜類、花き類及び果樹類が挙げられ、より具体的には、トマト、キュウリ、ナス、バラ、キク、カーネーション、チューリップ、ブドウ、イチゴ等を例示することができる。
【００３３】
次に本発明の植物処理用貼付剤を実施例をもってさらに具体的に説明するが、本発明の範囲はこれらによって限定されるものではない。
【００３４】
【実施例】
0003835834.tif 000002
実施例１（植物処理用貼付剤の製造例）
クロロホルム（５.０ｍｌ）に溶かしたイミダクロプリド（０.４２ｍｇ）を、トルエンに溶解したアクリル粘着剤（アクリル酸エステルに少量のアクリル酸、メタクリル酸メチル、酢酸ビニル等を混ぜ共重合させたもの；固形分４０％）（２０ｇ）に溶解する。これをポリエチレンテレフタレートフィルムに展開し、そして６０℃に加熱してトルエン及びクロロホルムを完全に蒸発させる。蒸発後、ポリエチレンテレフタレートで薬物層面を保護シールし、有効成分濃度５％のイミダクロプリドを含む貼付剤を調製した。
【００３５】
実施例２（殺虫効力試験例）
貼付剤の調製
実施例１で調製された貼付剤をＩ．１とし、実施例１において薬物層に更に農薬活性物質放出促進剤としてメントールを１５重量％添加して調製した貼付剤をＩ．２、そして同様にリモネンを１５重量％添加して調製した貼付剤をＩ．３とする。
【００３６】
試験方法作物：ナス（品種：千両２号）本葉６枚の生育期のものを使用した。
【００３７】
キュウリ（品種：四葉）本葉４枚の生育期のものを使用した。
【００３８】
害虫：ナスに対し、モモアカアブラムシ（有機リン剤、カーバメート剤抵抗性系統）
キュウリに対し、ワタアブラムシ（野外採取系統）
区制：１区１ポット、２連制
処理方法：
イミダクロプリドを有効成分量としてそれぞれ０.５ｍｇ及び１ｍｇ含むように貼付剤を切り、各植物体の茎（地上８ｃｍ）に貼りつける。処理直後並びに処理後７日、１４日及び２１日にアフィドチャンバーを使用して、胎生無翅雌成虫を１０頭接種した。接種４日後に生存している胎生無翅雌成虫数及び接種した胎生無翅雌成虫によって産出された幼虫数を調査した。更に処理後２５日に、近縁の発生源から処理株に移行増殖した全アブラムシ類を調査した。
【００３９】
同時に薬害の観察を行ない、次の基準で判定した。
【００４０】
０：薬害なし
１：僅かな葉縁枯れ・葉の褐斑が認められる
２：明瞭な葉縁枯れ・葉の褐斑が認められる
３：新葉にまで、明瞭な葉縁枯れ・葉の褐斑が認められる
４：新葉まで薬害が認められ、生育阻害も認められる
５：枯死
0003835834.tif 000003
試験結果をナスの試験については第１表に、キュウリの試験については第２表にそれぞれ示す。
【００４１】
【表１】
0003835834.tif 000004
【００４２】
【表２】
0003835834.tif 000005
【００４３】
実施例３（貼付剤例）
Ａ−１                ５重量部
アクリル粘着剤      ９５重量部
【００４４】
上記組成を有する貼付剤を実施例１と同様の方法により調製する。
【００４５】
実施例４（貼付剤例）
イミダクロプリド    １５重量部
アクリル粘着剤      ５５重量部
メントール          ３０重量部
上記組成を有する貼付剤を実施例１と同様の方法により調製する。
【００４６】
【発明の効果】
本発明の植物処理用貼付剤は、前記試験例に示すとおり、的確な生物作用効果を現わし、対象作物に対しては薬害を起こさず、環境面からも非常に好適なものである。